(57)【要約】【課題】換気装置においては、排気口から逆方向の風が流入したとき、空気の圧力を差圧センサーで検出することを目的とする。【解決手段】本体１に室内の空気を吸込むための吸込み口２と屋外に空気を排出する排気口３を設け、前記本体１の内部には空気を排出するためのファン４を設け、前記ファン４には、ファン駆動用のファンモータ５が接続されており、前記排気口３には、正圧および負圧と風圧が測定できる差圧センサー６を設け、前記ファンモータ５と前記差圧センサー６は制御手段７で制御されている。差圧センサー６により、排気口３の空気の流れる方向と風圧を検出することができ、排気口３に強い外風が侵入したとき、ファンモータ５を停止し、シャッター１１を閉状態にすることができる換気装置を提供できる。【選択図】図３
2009041834.tif 000002
【特許請求の範囲】
【請求項１】
室内の空気を排出するファンモータと、排出する空気の圧力を検出するために排気口に正圧および負圧を検出できる差圧センサーを設けることを特徴とした換気装置。
【請求項２】
室内の空気を排出する前記ファンモータと、排出する空気の圧力を検出するために排気口に正圧および負圧を検出できる前記差圧センサーと屋外からの外風を遮断するために排気口にシャッターを備え、屋外からの外風により前記差圧センサーが検出する圧力値の変化でファンモータを運転または停止すると共に、シャッターを開状態または閉状態にすることを特徴とした請求項１記載の換気装置。
【請求項３】
前記換気装置において差圧センサー検出値が所定の値内のときに、ファンモータを運転または停止すると共に、シャッターを開状態または閉状態にすることを特徴とした請求項１記載の換気装置。
【請求項４】
前記換気装置において差圧センサー検出値により、ファンモータが停止し、シャッターが閉状態になると所定の時間に運転を再開することを特徴とした請求項１記載の換気装置。
【請求項５】
室内側に外風が吹込まないように吸込み口にシャッターを設けたことを特徴とした請求項１記載の換気装置。
【請求項６】
室内側の複数の吸込み口にシャッターを設け、初期電源投入時のみ複数のシャッターを順番に開閉して、その差圧センサーの検出する圧力値が同一になるように、それぞれのシャッターの開度を調整することを特徴とした請求項１記載の換気装置。
【請求項７】
室内にシャッター付き自然吸気口を設け、前記換気装置の運転または停止時には、換気装置と連動し、シャッターの開閉状態にすることを特徴とした請求項１記載の換気装置。
【発明の詳細な説明】
【技術分野】
【０００１】
本発明は、室内の換気を行う換気扇に関するものである。
【背景技術】
【０００２】
従来、この種の換気装置は、差圧センサーを使用し設定風量になるようにダンパー開度を調整するものであった（例えば、特許文献１参照）。
【０００３】
以下、図９により、その換気装置を説明する。風洞内と風洞の差圧を差圧センサーで検出し設定風量になるようにダンパー開度の調整を行う換気装置を構成していた。差圧センサーは、空気の流れる方向が一定方向であるため正圧または負圧のどちらかを検出できれば良い。
【特許文献１】特開２００１−６５９３７号公報
【発明の開示】
【発明が解決しようとする課題】
【０００４】
しかしながらこのような換気装置においては、排気口から逆方向の風が流入したとき、空気の圧力を差圧センサーが検出できないという課題があった。
【０００５】
本発明は、上記課題を解決するもので、排気口に正圧および負圧の両方を検出できる差圧センサーを設け、排気口の空気の流れる方向と風圧を検出することができる換気装置を提供することを目的としている。
【０００６】
また、従来の換気装置では、排気口に台風などの強い外風が侵入したとき、換気装置本体内部に外風が浸入することを防止することが要求されている。
【０００７】
本発明は、このような従来の課題を解決するものであり、排気口に強い外風が侵入したとき、ファンモータを停止し、シャッターを閉状態にすることができる換気装置を提供することを目的としている。
【０００８】
また、従来の換気装置では、差圧センサーの検出値を安定して検出し、誤動作が発生なくファンモータを運転および停止し、さらにシャッターを開閉状態にすることが要求されている。
【０００９】
本発明は、このような従来の課題を解決するものであり、差圧センサーの検出値が所定の値内のときに、ファンモータを運転および停止し、さらにシャッターを開または閉状態にすることができる換気装置を提供することを目的としている。
【００１０】
また、従来の換気装置では、外風などで運転が停止しているとき、自動的に運転を開始することが要求されていた。
【００１１】
本発明は、このような従来の課題を解決するものであり停止した後、所定の時間が経つと運転を自動的に再開することができる換気装置を提供することを目的としている。
【００１２】
また、従来の換気装置では、室内に外風が侵入しないことが要求されていた。
【００１３】
本発明は、このような従来の課題を解決するものであり、室内の吸込み口にシャッターを設け外風が侵入することのない換気装置を提供することを目的としている。
【００１４】
また、従来の換気装置では、複数の吸込み口の風量を同一にすることが要求されていた。
【００１５】
本発明は、このような従来の課題を解決するものであり、複数の吸込み口に設けたシャッターの開度を調整して、吸込み口からの風量を同一にすることができる換気装置を提供することを目的としている。
【００１６】
また、従来の換気装置では、換気装置の運転および停止とシャッター付き自然吸気口が連動してシャッターを開または閉状態にして室内の換気を行うことが要求されていた。
【００１７】
本発明は、このような従来の課題を解決するものであり、換気装置が運転すると、シャッター付き自然吸気口に連動してシャッターが開となり、換気することができる換気装置を提供することを目的としている。
【課題を解決するための手段】
【００１８】
本発明の換気装置は上記目的を達成するために、排気口に正圧および負圧の両方を検出できる差圧センサーを設けるものである。
【００１９】
この手段により排気口の空気の流れる方向と風圧を検出することができる。
【００２０】
また、本発明は、排気口に台風などの強い外風が侵入したとき、ファンモータを停止し、シャッターを閉状態にするものである。
【００２１】
この手段により、外風でファンモータの逆回転によるファンモータの破損や雨水浸入による本体の錆びを防止することができる換気装置が得られる。
【００２２】
また、本発明は、差圧センサーの検出値が所定の値内のときに、ファンモータおよびシャッターを制御するものである。
【００２３】
この手段により、差圧センサーの急激な変動なの影響により誤動作を防止することができる換気装置が得られる。
【００２４】
また、本発明は、外風などで運転が停止状態となったとき、所定の時間が経つと停止から運転を自動的に開始するものである。
【００２５】
この手段により、外風による影響が無くなっても換気装置を停止し続けることなく、室内の換気を行うことができる換気装置が得られる。
【００２６】
また、本発明は、室内の吸込み口にシャッターを設け外風が侵入することを防止するものである。
【００２７】
この手段により、室内の吸込み口から外風が室内に侵入することを防止することができる換気装置が得られる。
【００２８】
また、本発明は、複数の吸込み口に設けたシャッターの開度を自動的に調整するものである。
【００２９】
この手段により、複数の吸込み口の風量を同一にすることができる換気装置が得られる。
【００３０】
また、本発明は、換気装置の運転および停止とシャッター付き自然吸気口が連動するものである。
【００３１】
この手段により、自然吸気口の開閉動作を忘れることなく、自動的に自然吸気口のシャッターを開閉することができる換気装置が得られる。
【発明の効果】
【００３２】
本発明によれば、排気口の空気の流れる方向と風圧を検出することができる換気装置を提供できる。
【００３３】
また、本発明によれば、外風によるファンモータの破損や雨水浸入による本体の錆びを防止することができる換気装置を提供できる。
【００３４】
また、本発明によれば、差圧センサーの急激な変動などの影響により誤動作を防止することができる換気装置を提供できる。
【００３５】
また、本発明によれば、外風による影響が無くなっても停止し続けることのない換気装置を提供できる。
【００３６】
また、本発明によれば、室内の吸込み口から外風が室内に侵入することを防止することができる換気装置を提供できる。
【００３７】
また、本発明によれば、複数の吸込み口の風量を同一にすることができる換気装置を提供できる。
【００３８】
また、本発明によれば、自動的に自然吸気口のシャッターを開閉することができる換気装置を提供できる。
【発明を実施するための最良の形態】
【００３９】
本発明の請求項１記載の発明は、室内の空気を排出するファンモータと、排出する空気の圧力を検出するために排気口に正圧および負圧を検出できる差圧センサーを設けるものであり、排気口の空気の流れる方向と風圧を検出することができる作用を有する。
【００４０】
また、室内の空気を排出する前記ファンモータと、排出する空気の圧力を検出するために排気口に正圧および負圧を検出できる前記差圧センサーと屋外からの外風を遮断するために排気口にシャッターを備え、屋外からの外風により前記差圧センサーが検出する圧力値の変化でファンモータを運転または停止すると共に、シャッターを開状態または閉状態にするものであり、外風によるファンモータの破損や雨水浸入による本体の錆びを防止する作用を有する。
【００４１】
また、前記換気装置において差圧センサー検出値が所定の値内のときに、ファンモータを運転または停止すると共に、シャッターを開状態または閉状態にするものであり、差圧センサーの急激な変動などの影響により誤動作を防止する作用を有する。
【００４２】
また、前記換気装置において差圧センサー検出値により、ファンモータが停止し、シャッターが閉状態になると所定の時間に運転を再開するものであり、外風による影響が無くなっても停止し続けることのない作用を有する。
【００４３】
また、室内側に外風が吹込まないように吸込み口にシャッターを設けたものであり、室内の吸込み口から外風が室内に侵入することを防止する作用を有する。
【００４４】
また、室内側の複数の吸込み口にシャッターを設け、初期電源投入時のみ複数のシャッターを順番に開または閉状態にして、その差圧センサーの検出する圧力値が同一になるように、それぞれのシャッターの開度を調整するものであり、室内の吸込み口から外風が室内に侵入することを防止する作用を有する。
【００４５】
また、室内にシャッター付き自然吸気口を設け、前記換気装置の運転または停止時には、換気装置と連動し、シャッターの開閉状態にするものであり、自動的に自然吸気口のシャッターを開または閉状態にする作用を有する。
【００４６】
（実施の形態１）
図１、図２に示すように本体１に室内の空気を吸込むための吸込み口２と屋外に空気を排出する排気口３を設け、前記本体１の内部には空気を排出するためのファン４を設け、前記ファン４には、ファン駆動用のファンモータ５が接続されており、前記排気口３には、正圧および負圧と風圧が測定できる差圧センサー６を設け、前記ファンモータ５と前記差圧センサー６は制御手段７で制御されている。
【００４７】
上記構成おいて、前記ファンモータ５が停止し、前記排気口３から外風が侵入しないときには前記差圧センサー６からの出力は停止電圧８が出力され、前記ファンモータ５が運転すると、前記差圧センサー６からの出力は正圧電圧９が出力され、前記ファンモータ５が停止し、屋外から外風が排気口３から侵入すると負圧電圧１０が前記差圧センサー６からの出力されることになる。
【００４８】
なお、前記停止電圧８は、一例として２〜３Ｖ程度の電圧が前記差圧センサー６から出力するようにする。
【００４９】
なお、前記正圧電圧９は、一例として３〜５Ｖ程度の電圧が前記差圧センサー６から出力するようにする。
【００５０】
なお、前記負圧電圧１０は、一例として０〜３Ｖ程度の電圧が前記差圧センサー６から出力するようにする。
【００５１】
なお、前記差圧センサー６は、正圧および負圧の両方検出できるセンサーで説明したが、正圧または負圧だけを検出できるセンサーを使用し、チューブなどにより正圧と負圧を入れ替えることにより同じ効果が得られる。
【００５２】
（実施の形態２）
実施の形態１と同一部分は同一番号を符し、詳細な説明は省略する。
【００５３】
図３は、前記本体１に室内の空気を吸込むための吸込み口２と屋外に空気を排出する排気口３を設け、前記本体１の内部には空気を排出するためのファン４を設け、前記ファン４には、ファン駆動用のファンモータ５が接続されており、前記排気口３には、正圧および負圧と風圧が測定できる差圧センサー６を設け、前記ファンモータ５と前記差圧センサー６は制御手段７で制御され、前記排気口３内部にシャッター１１を設け、前記シャッター１１は、前記排気口３の外側に設けたシャッター駆動モータ１２により前記排気口３の開閉動作を行い前記シャッター駆動モータ１２は前記制御手段７により制御されている。
【００５４】
上記構成おいて、前記本体１に運転信号（図示せず）を受けると、前記ファンモータ５を運転し、前記シャッター１１を開状態にする、台風などの強い外風が、前記排気口３に侵入すると、前記差圧センサー６は前記負圧電圧１０が出力され、その信号を前記制御手段７が受信すると、前記制御手段７は、前記ファンモータ５を停止し、前記シャッター駆動モータ１２を閉状態する信号を送信し、前記シャッター１１は閉状態となる。
【００５５】
なお、前記シャッター１１は、前記排気口３の風路を開閉するだけの簡単な構造で良い。
【００５６】
なお、前記シャッター駆動モータ１２は、一例としてステッピングモータやギヤーモータやソレノイドなどがある。
【００５７】
なお、前記制御手段７は、マイコンやトランジスターやリレーなどを搭載した基板である。
【００５８】
（実施の形態３）
実施の形態１および形態２と同一部分は同一番号を符し、詳細な説明は省略する。
【００５９】
図４に示すように、前記差圧センサー６の出力である前記正圧電圧９と前記停止電圧８および前記負圧電圧１０は安定した直流電圧ではなく、外風による影響や室内ドアーの開閉による影響や窓の開閉状況による影響で前記差圧センサー６の出力が変動する。
【００６０】
上記状況により、前記正圧電圧９に正圧電圧上限電圧１３と正圧電圧下限電圧１４を設け、その電圧範囲内であれば正圧が発生していると判断し、前記停止電圧８に停止電圧上限電圧１５と停止電圧下限電圧１６を設け、その電圧範囲内であれば停止していると判断し、前期負圧電圧１０に負圧電圧上限電圧１７と負圧電圧下限電圧１８を設け、その電圧範囲内であれば負圧が発生していると判断し、前記ファンモータ５を運転および停止し、さらに前記シャッター１１を開または閉状態にすることができる。
【００６１】
なお、前記正圧電圧上限電圧１３と前記正圧電圧下限電圧１４の差は０．５Ｖ程度とする。
【００６２】
なお、前記停止電圧上限電圧１５と前記停止電圧下限電圧１６の差は０．５Ｖ程度とする。
【００６３】
なお、前記負圧電圧上限電圧１７と前記負圧電圧下限電圧１８の差は０．５Ｖ程度とする。
【００６４】
（実施の形態４）
実施の形態１と同一部分は同一番号を符し、詳細な説明は省略する。
【００６５】
図５に示すように、前記ファンモータ５により室内の空気を屋外に排出する前記排気口３を設け、前記排気口３には、正圧および負圧と風圧が測定できる前記差圧センサー６を設け、前記ファンモータ５と前記差圧センサー６は制御手段７で制御され、前記ファンモータ５が運転しているときは、前記差圧センサー６からは前記正圧電圧９が出力され、台風などの強い外風が、前記排気口３に侵入すると、前記差圧センサー６は前記負圧電圧１０を出力し、ファンモータ５が停止すると前記差圧センサー６は前記停止電圧８を出力し、前記ファンモータ５と前記差圧センサー６は制御手段７により制御されている。
【００６６】
上記構成おいて、ファンモータ５が運転期間１９中に、台風などの強い外風が、前記排気口３に侵入すると、前記差圧センサー６は前記負圧電圧１０が出力され制御手段７は所定の負圧検出期間２０その電圧を受信すると、前記制御手段７は前記ファンモータ５を所定の停止期間２１だけ停止し、所定の時間後、再運転期間２２で再運手を開始することにより、換気装置を停止し続けることなく、室内の換気を行うことができる。
【００６７】
なお、前記負圧検出期間２０は一例として１分程度継続したときにファンモータ５を停止する。
【００６８】
なお、前記停止期間２１は一例として１時間程度経過したあと、再度前記ファンモータ５を運転し、再度前記負圧電圧１０を検出するとファンモータ５を停止することを繰り返す。
【００６９】
（実施の形態５）
実施の形態１と同一部分は同一番号を符し、詳細な説明は省略する。
【００７０】
図６は、前記本体１に室内の空気を吸込むための前記吸込み口２と屋外に空気を排出する前記排気口３を設け、前記本体１の内部には空気を排出するための前記ファン４を設け、前記ファン４には、ファン駆動用の前記ファンモータ５が接続されており、前記排気口３には、正圧および負圧と風圧が測定できる前記差圧センサー６を設け、前記ファンモータ５と前記差圧センサー６は前記制御手段７で制御され、前記吸込み口２内部に吸込みシャッター２３を設け、前記吸込みシャッター２３は、前記吸込み口２の外側に設けた吸込みシャッター駆動モータ２４により前記吸込み口２の開または閉動作を行い前記吸込みシャッター駆動モータ２４は前記制御手段７により制御されている。
【００７１】
上記構成おいて、前記本体１に運転信号（図示せず）を受けると、前記ファンモータ５を運転し、前記吸込みシャッター２３を開状態にする、台風などの強い外風が、前記排気口３に侵入すると、前記差圧センサー６は前記負圧電圧１０を出力し、その信号を前記制御手段７が受信すると、前記制御手段７は、前記ファンモータ５を停止し、前記吸込みシャッター駆動モータ２４に閉状態の信号を送信し、前記吸込みシャッター２３は閉状態となる。
【００７２】
なお、前記吸込みシャッター２３は、吸込み口の風路を開閉するだけの簡単な構造で良い。
【００７３】
なお、前記吸込みシャッター駆動モータ２４の一例としてステッピングモータやギヤーモータやソレノイドがある。
【００７４】
なお、前記制御手段７は、マイコンやトランジスターやリレーなどを搭載した基板である。
【００７５】
（実施の形態６）
実施の形態１と同一部分は同一番号を符し、詳細な説明は省略する。
【００７６】
図７は、前記本体１に室内の空気を吸込むための前記吸込み口２および吸込み口Ａ２ａと屋外に空気を排出する前記排気口３を設け、前記本体１の内部には空気を排出するための前記ファン４を設け、前記ファン４には、ファン駆動用の前記ファンモータ５が接続されており、前記排気口３には、正圧および負圧と風圧が測定できる前記差圧センサー６を設け、前記ファンモータ５と前記差圧センサー６は前記制御手段７で制御され、前記吸込み口２および前記吸込み口Ａ２ａ内部に吸込みシャッター２３および吸込みシャッターＡ２３ａを設け、前記吸込みシャッター２３および前記吸込みシャッターＡ２３ａは、前記吸込み口２および前記吸込み口Ａ２ａの外側に設けた吸込みシャッター駆動モータ２４および吸込みシャッター駆動モータＡ２４ａにより前記吸込み口２および前記吸込み口Ａ２ａの開閉動作を行い前記吸込みシャッター駆動モータ２４および前記吸込みシャッター駆動モータＡ２４ａは前記制御手段７により制御されている。
【００７７】
上記構成おいて、初期電源投入時に前記制御手段７は、前記吸込み口Ａ２ａの前記吸込みシャッターＡ２３ａを閉状態にするため、前記吸込みシャッター駆動モータＡ２４ａを駆動し前記吸込みシャッターＡ２３ａを閉状態にする。また、一方の前記吸込み口２の吸込みシャッター２３を開状態にするため、前記吸込みシャッター駆動モータ２４駆動し前記吸込みシャッター２３を開状態にし、前記制御手段７は、前記ファンモータ５を運転し前記差圧センサー６の前記正圧電圧９を検出し前記制御手段７内部にデーターＡ（図示せず）として保存しておく、次に、前記制御手段７は、前記吸込み口２の前記吸込みシャッター２３を閉状態にするため、前記吸込みシャッター駆動モータ２４を駆動し前記吸込みシャッター２３を閉状態にする。また、一方の前記吸込み口Ａ２ａの前記吸込みシャッターＡ２３ａを開状態にするため、前記吸込みシャッター駆動モータＡ２４ａ駆動し前記吸込みシャッターＡ２３ａを開状態にし、前記制御手段７は、前記差圧センサー６の前記正圧電圧９を検出し、前記制御手段７内部にデーターＢ（図示せず）として保存し、吸込みシャッター２３と吸込みシャッターＡ２３ａを全開にして、前記データーＡと前記データーＢを比較して値の大きいデーターの開状態となっていた吸込みシャッター２３または吸込みシャッターＡ２３ａを１０°閉めて風量を下げることを行う。
【００７８】
なお、吸込みシャッター２３または吸込みシャッターＡ２３ａの開度は一例として１０°としたが、ダクト径や風量により異なる。
【００７９】
なお、前記制御手段７は、マイコンやＲＡＭやＥＥＰＲＯＭなどを搭載した基板である。
【００８０】
（実施の形態７）
実施の形態１と同一部分は同一番号を符し、詳細な説明は省略する。
【００８１】
図８に示すように、室内に吸込みグリル２５を設け、前記本体１の前記吸込み口２に吸込みダクト２６により接続して室内の空気は前記本体１に吸込まれ、吸込まれた空気は、前記本体１に設けた前記排気口３と屋外に設けたベンドキャップ２７と排気ダクト２８で接続され屋外に排気され、屋外の空気は自然吸気口２９により供給され、前記自然吸気口２９には、前記制御手段７の信号により開閉できる自然吸気口シャッター３０が設けられている。
【００８２】
上記構成おいて、前記本体１が運転を開始すると、前記制御手段７より前記自然吸気口２９へ開信号（図示せず）を送信し前記自然吸気口シャッター３０は開状態となり、前記本体１が運転を停止すると、前記制御手段７より前記自然吸気口２９へ閉信号（図示せず）を送信し前記自然吸気口シャッター３０は閉状態となる。
【産業上の利用可能性】
【００８３】
換気装置に正圧および負圧を検出できる差圧センサーを設け、排気口の空気の流れる方向と風圧を検出できる換気装置に適用できる。
【図面の簡単な説明】
【００８４】
【図１】本発明の実施の形態１の構成図
【図２】同電圧図
【図３】本発明の実施の形態２の構成図
【図４】本発明の実施の形態３の電圧図
【図５】本発明の実施の形態４の電圧時間図
【図６】本発明の実施の形態５の構成図
【図７】本発明の実施の形態６の構成図
【図８】本発明の実施の形態７の構成図
【図９】従来の換気扇の構成図
【符号の説明】
【００８５】
１      本体
２      吸込み口
２ａ    吸込み口Ａ
３      排気口
４      ファン
５      ファンモータ
６      差圧センサー
７      制御手段
８      停止電圧
９      正圧電圧
１０    負圧電圧
１１    シャッター
１２    シャッター駆動モータ
１３    正圧電圧上限電圧
１４    正圧電圧下限電圧
１５    停止電圧上限電圧
１６    停止電圧下限電圧
１７    負圧電圧上限電圧
１８    負圧電圧下限電圧
１９    運転期間
２０    負圧検出期間
２１    停止期間
２２    再運転期間
２３    吸込みシャッター
２３ａ  吸込みシャッターＡ
２４    吸込みシャッター駆動モータ
２４ａ  吸込みシャッター駆動モータＡ
２５    吸込みグリル
２６    吸込みダクト
２７    ベンドキャップ
２８    排気ダクト
２９    自然吸気口
３０    自然吸気口シャッター
【図１】
2009041834.tif 000003
【図２】
2009041834.tif 000004
【図３】
2009041834.tif 000005
【図４】
2009041834.tif 000006
【図５】
2009041834.tif 000007
【図６】
2009041834.tif 000008
【図７】
2009041834.tif 000009
【図８】
2009041834.tif 000010
【図９】
2009041834.tif 000011